(57)【特許請求の範囲】
【請求項１】
シート束に押し付けるための押圧板と、
前記シート束からシートを個別に取り出すように前記押圧板に位置合わせして配置されたピッカーと、
（ｉ）ピボットと、（ｉｉ）押圧板に結合された付勢部と、（ｉｉｉ）弾性部材とを含み、前記弾性部材の付勢力によって前記ピボットの周りに回転可能なリンクアームと、
前記弾性部材を動かして前記付勢力を発生させ、前記リンクアームを回転させて、前記付勢部を介して前記押圧板を前記シート束に押し付けるように動作可能に前記弾性部材に結合されたアクチュエータと、を備え、
前記シート束から個別の前記シートが取り出されるに連れて前記押圧板が移動することにより、前記押圧板を前記シート束に押し付ける前記弾性部材の前記付勢力が低減し、かつ前記付勢力の低減が、取り出された前記シートの重量と一致するように、前記弾性部材の剛性が選択されているシート束収納装置。
【請求項２】
前記押圧板が、その上面でシート束を受ける、請求項１に記載のシート束収納装置。
【請求項３】
前記ピッカーが、前記シート束の上部から個別のシートを取得する、請求項１に記載のシート束収納装置。
【請求項４】
前記シート束を前記ピッカーへ搬送するためのシート搬送装置をさらに備える、請求項１に記載のシート束収納装置。
【請求項５】
前記シート搬送装置が、シャーシと、前記シャーシに取り付けられた枢軸とを有し、前記付勢部と前記押圧板が前記枢軸により相互に結合される、請求項４に記載のシート束収納装置。
【請求項６】
前記ピッカーが、位置合わせ縁部と、個別のシートを取得する時に前方に移動可能な取得面と、遅れ面とを有する、請求項１に記載のシート束収納装置。
【請求項７】
前記ピボットが、ハブを含み、前記付勢部と反対側の前記リンクアーム端に配置される、請求項１に記載のシート束収納装置。
【請求項８】
前記リンクアームが、前記弾性部材に結合され、前記アクチュエータの一部に当接するように構成されたカムフォロワをさらに備える、請求項１に記載のシート束収納装置。
【請求項９】
前記アクチュエータは、その上に軸方向に取り付けられた少なくとも１つのカムを含む回転軸を備える、請求項１に記載のシート束収納装置。
【請求項１０】
前記アクチュエータが、前記回転軸に軸方向に取り付けられた２つのカムを備える、請求項９に記載のシート束収納装置。
【請求項１１】
前記弾性部材がコイルばねを備える、請求項１に記載のシート束収納装置。
【請求項１２】
前記リンクアームが、前記回転軸の対向する側に配置された１対の前記弾性部材を含むヨークリンクアームを備え、前記各弾性部材がカムフォロワを含み、したがって前記回転軸が回転すると前記回転軸上の前記カムが偏向し、次に、前記各カムフォロワを順番に弛ませる、請求項９に記載のシート束収納装置。
【請求項１３】
前記ヨークリンクアームの付勢部が、また、顧客にシートを提示するように動作可能な下部シートトランスポートの上側部分に結合される、請求項１２に記載のシート束収納装置。
【請求項１４】
請求項１に記載のシート束収納装置を含むセルフサービス端末装置。
【請求項１５】
収納装置内に挿入されたシート束から個別のシートを取り出すために前記シート束に制御された挟持力を印加する方法であって、
シート束を押圧板上に受け取るステップと、
弾性部材を静止状態から圧縮位置へ移動させるステップと、
前記圧縮された弾性部材を用いてリンクアームを回動させ、前記リンクアームに結合された前記押圧板に、前記シート束に押し付けるように圧力を印加するステップと、
前記押圧板からの前記圧力を用いて前記シート束に挟持力を印加し、前記シート束から個別のシートを取り出すステップと、を含み、
前記シート束から個別の前記シートが取り出されるに連れて前記押圧板が移動することにより、前記押圧板を前記シート束に押し付ける前記弾性部材の前記付勢力が低減し、かつ前記付勢力の低減が、取り出された前記シートの重量と一致するように、前記弾性部材の剛性を選択した方法。
【発明の詳細な説明】
【技術分野】
【０００１】
本発明は、媒体アイテムの収納装置の改良に関する。
【背景技術】
【０００２】
媒体収納装置は、顧客から媒体アイテムを受け取るために使用される。一般的なタイプの媒体収納装置は、シート状の媒体アイテム（紙幣、小切手、チケット、郵便振替為替など）を受け取るシート状媒体の収納装置である。
【０００３】
シート状媒体の収納装置は、ＡＴＭ及びその他のセルフサービス端末（自動販売機、両替機など）で使用され、預け入れられたシートを識別し、法的有効性を確認する。
【０００４】
いくつかのシート収納装置は、積載領域でシート束を受け取り、シート束から個々のシートを取得し、したがって各々のシートを識別し、個別に法的有効性を確認した後で法的有効性を確認したシートを収納装置内に保管することができる。これらの収納装置を本明細書では「シート束収納装置」と呼ぶ。シート束収納装置は、積載領域から取得領域へシート束を搬送でき、又は取得領域は積載領域に隣接していてもよい。
【０００５】
大量のシート束を収容可能なシート束収納装置を提供することが望ましい。しかし、大量のシート束を取得領域まで搬送しなければならない時には、シート束内のシートが取得領域に到達するまでに広がる傾向がある。これによって、シートの取得の信頼性が低下する。
【０００６】
さらに、少数のシート（１枚の紙幣及び／又は小切手）のみをシート束収納装置に挿入する顧客がいる一方で最大許容数のシート（例えば、５０枚の媒体アイテム）をシート束収納装置に挿入する顧客がいる。シート束のサイズにかかわらず、適当な力をシート束上に提供できることが重要である。
【発明の概要】
【発明が解決しようとする課題】
【０００７】
したがって、本発明は、概して、改良型媒体収納装置のための方法、システム、及び装置を提供する。
【課題を解決するための手段】
【０００８】
上記の「発明の概要」と下記の「発明を実施するための形態」で開示する主題に加えて、この項の以下の各節では、必要に応じて、本出願の手続中に使用することがある代替の請求項表現をさらに基礎固めすることが意図されている。本出願が認可された場合、いくつかの態様は本出願の手続中に追加された請求項に関連する可能性があり、別の態様は本出願の手続中に削除された請求項に関連する可能性があり、また別の態様は請求項に記載しなかった主題に関連する可能性がある。さらに、以下に詳細に説明するさまざまな態様は、他に別段の記載がない限り、互いに独立している。１つの態様に対応するいかなる請求項も、請求項に明記しない限り、残りの態様のいかなる要素又は特徴も組み込んでいると解釈すべきではない。
【０００９】
第１の態様によれば、シート束収納装置であって、シート束に押し付ける押圧板と、押圧板に整列し、シート束からシートを個別に取り出すように構成されたピッカーと、（ｉ）ピボットと、（ｉｉ）押圧板に結合された付勢部と、（ｉｉｉ）弾性部材とを含むリンクアームと、弾性部材に結合され、作動されると弾性部材を圧縮してリンクアームを回動させて、それによりシートがピッカーによってシート束から取り出された時に押圧板が移動する際に押圧板によってシート束を圧縮するように動作可能なアクチュエータとを備えるシート束収納装置が提供される。
【００１０】
押圧板は、その上面でシート束を受けることができる。あるいは、押圧板は下向きにシート束に押し付けることができる。すなわち、いくつかの実施形態では、押圧板はシート束の最も上のシートに作用でき、別の実施形態では、押圧板はシート束の最も下のシートに作用できる。
【００１１】
押圧板がシート束の底部を押し上げる場合、ピッカーはシート束の上部から個別のシートを取得できる。押圧板がシート束の上部を押し下げる場合、ピッカーはシート束の底部から個別のシートを取得できる。
【００１２】
押圧板がシート束の底部を押し上げる場合、弾性部材は、シートが取り出される際の弾性部材によって印加されるばね力の低減が取り出されたシートの重量にほぼ一致するように選択され、したがってシートが取り出される際に比較的一定の挟持力がシート束に掛かる。シート束から個別のシートを取り出す場合でも、シート束にほぼ一定の挟持力を提供することで、取得動作実行の信頼性が向上する。
【００１３】
いくつかの実施形態では、弾性部材は、０．０５Ｎ／ｍｍ〜１．００Ｎ／ｍｍの範囲内の剛性ｋを有するように選択できる。弾性部材を紙幣の束、又は小切手と紙幣とが混じった束と併用する実施形態では、弾性部材は、０．０７Ｎ／ｍｍ〜０．０９Ｎ／ｍｍの範囲内の剛性ｋを有するように選択できる。一実施形態では、剛性ｋは、約０．０８Ｎ／ｍｍであるように選択できる。
【００１４】
本明細書で「シート束積載装置」という用語は、とりわけ、押圧板、リンクアーム、及びアクチュエータの組合せを示すために使用される。
【００１５】
シート束積載装置は、搬送装置をさらに備えてもよい。搬送装置は、（ｉ）シャーシと、（ｉｉ）シャーシに取り付けられた枢軸と、（ｉｉｉ）１つ又は複数のスキッドプレート、１つ又は複数の伸縮式無端ベルト、１つ又は複数のローラ、又はその他の任意の従来のシート駆動機構とを備えてもよい。押圧板は、枢軸に取り付けられて枢軸を中心に押圧板を回動させるハブを含んでもよい。付勢部も枢軸に取り付けられたハブを画定でき、押圧板と付勢部は枢軸により結合されている。
【００１６】
ピッカーは、シート束を維持するように駆動されたシート束をそれに整列させる位置合わせ縁部と、位置合わせ縁部に隣接し、個別のシートを取得する時に前方に移動可能な取得面と、取得面の反対側にあって、位置合わせ縁部に隣接する遅れ面とを有してもよい。遅れ面は、個別のシートを取得する時には逆方向に移動できる。取得面及び／又は遅れ面は、ローラ、ベルト、ホイールなどによって画定されてもよい。
【００１７】
ピボットは、リンクアーム枢軸に取り付けるハブを画定してもよい。ハブは、付勢部と反対側のリンクアーム端に配置してピボットがリンクアーム枢軸周りに回転する際の付勢部の変位を最大限にすることができる。
【００１８】
リンクアーム枢軸は、搬送装置内の駆動ベルト又はローラを駆動する駆動軸として使用できる。
【００１９】
リンクアームは、弾性部材に結合され、アクチュエータの一部に当接するように構成されたカムフォロワをさらに備えてもよい。
【００２０】
アクチュエータは、その上に軸方向に取り付けられたカムを含む回転軸を備えてもよい。軸の回転によって、カムはカムフォロワに係合し、それによりリンクアームを回動させて押圧板に移動を提供する。カムは、一般に涙滴形状であってもよい。
【００２１】
弾性部材は、コイルばね、板ばね、ガスばね、又はその他の任意の便利なばねを備えてもよい。
【００２２】
リンクアームは、ヨークリンクアームを備えてもよい。ヨークリンクアームは、アクチュエータの回転軸の対向する側に配置され、各々がカムフォロワ（それぞれ上部カムフォロワと下部カムフォロワ）を含む１対の弾性部材（上部弾性部材と下部弾性部材）を含んでもよく、したがって、軸の回転と共に軸上のカムは偏向し、上部カムフォロワを弛め、次に、偏向して下部カムフォロワを弛めることができる。
【００２３】
ヨークリンクアームの付勢部は、搬送装置に結合されていてもよい。搬送装置は、下部シートトランスポートの上側部分を含んでもよい。下部シートトランスポートの上側部分は、軸に取り付けられたローラ又はその他の任意の便利な駆動機構に掛かる１つ又は複数の伸縮式無端ベルトを備えてもよい。
【００２４】
下部シートトランスポートの下側部分は、スキッドプレート、伸縮式無端ベルト、及び／又はローラのうち１つ以上を備えてもよい。
【００２５】
下部シートトランスポートは、顧客にシートを提示するように動作可能である。シートは、シート束の一部として顧客によって挿入されていてもよく（すなわち、例えば、シートが無効である、認識されない、又は顧客が取引を取り消したいためにシートが顧客に返却されている）、又はシートは以前の取引の結果としてシート束収納装置内に保管されていてもよい（すなわち、収納装置はシートリサイクラとして動作できる）。
【００２６】
下部カムフォロワが作動されると、ヨークリンクアームの付勢部は、下部シートトランスポートの上側部分を、顧客に提示するために搬送されているシート束上に押し付けることができる。
【００２７】
収納装置は、各々がアクチュエータの回転軸に取り付けられた１対のヨークリンクアームを備えてもよい。アクチュエータの回転軸はその上に取り付けられた２つのカムを含んでもよく、各々のカムはヨークリンクアームのそれぞれの上の上部及び下部カムフォロワに整列してもよい。
【００２８】
ヨークリンクアームは、（ｉ）押圧板を上側に付勢して収納装置に挿入されているシート束に適当な挟持力を提供でき、又は（ｉｉ）下部シートトランスポートの上側部分を下側に付勢してシート束上に力を提供してシート束として顧客へのシートの搬送を可能にできるという利点を有する。
【００２９】
収納装置は、個別のシートを認識し、法的有効性を確認するように構成された検証装置、ピッカーから検証装置へ個別のシートを搬送するように構成された内部搬送部、挿入され検証装置を通過したシートを一時的に保管するエスクロー、預け入れられたシートを保管する保管領域、通信回路、収納装置コントローラなどの収納装置の従来の特徴を有してもよい。
【００３０】
シート束収納装置は、紙幣収納装置、小切手収納装置、小切手と紙幣の組合せ収納装置、金融証券収納装置（例えば、紙幣、小切手、郵便振替為替）などであってもよい。
【００３１】
本発明のこの態様は、弾性部材（ばねなど）を用いて押圧板に力が付与されるという利点を有することが理解されよう。個別のシートが押圧板によって圧縮されているシート束から取り出されると押圧板が移動し、弾性部材はほぼ静止状態に戻り、これにより弾性部材によって押圧板に掛かっていたばね力が低減する。これによってシート束の底面を押し上げると、ばね力の低減はシート重量に一致し、したがってシート束のサイズにかかわらず、また個別のシートがシート束から取り出されている間であっても、ほぼ一定の挟持力をシート束に印加できる。
【００３２】
第２の態様によれば、第１の態様のシート束収納装置を含むセルフサービス端末が提供される。
【００３３】
セルフサービス端末は、現金自動預払機（ＡＴＭ）、情報キオスク、金融サービスセンタ、紙幣払い出しキオスク、宝くじキオスク、郵便サービス機、又は小売業、ホテル、レンタカー、ゲーム、医療、及び航空業界などで使用されるチェックイン及び／又はチェックアウト端末であってもよい。
【００３４】
第３の態様によれば、シート束収納装置のためのシート束積載装置であって、シート束に圧力を印加する押圧板と、（ｉ）ピボットと、（ｉｉ）押圧板に結合された付勢部と、（ｉｉｉ）弾性部材とを含むリンクアームと、弾性部材に結合され、作動されると弾性部材を動かしてピボット周りにリンクアームを回転させて、それによりシートがシート束から取り出された時の押圧板の移動に応じて弾性部材が弛むにつれて低減する弾性部材からの力を用いて押圧板によってシート束を圧縮するように動作可能なアクチュエータとを備えるシート束積載装置が提供される。
【００３５】
第４の態様によれば、収納装置内に挿入されたシート束に制御された挟持力を印加する方法であって、シート束を受け取るステップと、係合機構を作動して弾性部材を圧縮位置へ付勢するステップと、圧縮された弾性部材を用いてリンクアームを回動させてシート束に圧力を印加するステップと、シート束から個別のシートを取得するステップと、シート束からシートが取り出される際に弾性部材を収縮位置から伸張させてシート束に制御された力が確実に印加されるようにするステップとを含む方法が提供される。
【００３６】
この方法は、係合機構を停止させて弾性部材を静止した（比較的圧縮されていない）位置に戻すステップをさらに含んでもよい。
【００３７】
弾性部材は、静止位置で部分的に圧縮されていてもよいが、圧縮位置におけるほど圧縮されていてはならない。
【００３８】
第５の態様によれば、シート束収納装置であって、その上面にシート束を受ける押圧板と、押圧板上のシート束からシートを個別に取り出すように構成されたピッカーと、（ｉ）ピボットと、（ｉｉ）押圧板に結合された付勢部と、（ｉｉｉ）弾性部材とを含むリンクアームと、弾性部材に結合され、作動されるとピボット周りにリンクアームを移動させて押圧板を上方に移動させるように動作可能なアクチュエータであって、弾性部材がシートがピッカーによってシート束から取り出された時に押圧板が上昇するにつれて低減する上向き圧力を提供するように動作可能なアクチュエータとを備えるシート束収納装置が提供される。
【００３９】
第６の態様によれば、収納装置内に挿入されたシート束に制御された挟持力を印加する方法であって、シート束を受け取るステップと、弾性部材を圧縮位置へ移動させるステップと、圧縮された弾性部材を用いてリンクアームを回動させてシート束に圧力を印加するステップと、シート束から個別のシートを取得するステップと、シート束からシートが取り出される際に弾性部材を収縮位置から伸張させてシート束から個別のシートが取得されるたびにシート束に低減されたばね力が印加されるが、シート束の重量が低減するために比較的一定の挟持力がシート束に確実に印加されるようにするステップとを含む方法が提供される。
【００４０】
説明を分かりやすく簡潔にするために、上記の態様で提供された要素はそのすべての組合せを明示しているわけではない。それにもかかわらず、技術的に不可能でない限り、又はその逆の内容が明示されていない限り、１つの態様を指すコンシストリクローズ（ｃｏｎｓｉｓｔｏｒｙ  ｃｌａｕｓｅ）は、それらのコンシストリクローズが関連する可能性があるすべての他の態様のオプションの特徴として準用されることを当業者であれば直接かつ明確に認識することができるであろう。
【００４１】
上記及びその他の態様は、添付の図面を参照しながら以下の具体的な説明を読むことで明らかになるだろう。
【図面の簡単な説明】
【００４２】
【図１】本発明の一実施形態によるシート束収納装置の簡略化した概略図である。
【図２】図１の収納装置の部分（シート束積載装置）を上から見た斜視図として詳細に示す図である。
【図３】図２のシート束積載装置を下から見た斜視図として示す図である。
【図４】図２のシート束積載装置を側面図として示す図である。
【図５】図１の収納装置の部分（シート束積載装置、上部シート搬送部、及び下部シート搬送部）を押圧板が上部シート搬送部へ向かって付勢される上から見た斜視図として示す図である。
【図６】図５の部分を下から見た斜視図として示す図である。
【図７】図５の部分を側面図として示す図である。
【図８】図５の収納装置の部分を押圧板が下部シート搬送部へ向かって付勢される上から見た斜視図として示す図である。
【図９】図８の部分を下から見た斜視図として示す図である。
【図１０】図８の部分を側面図として示す図である。
【図１１】シート束を取得位置で保持する図５の部分を示す簡略化した図である。
【図１２】シート束を顧客返却ポイント付近で保持する図５の部分を示す簡略化した図である。
【発明を実施するための形態】
【００４３】
本発明の一実施形態によるシート束収納装置１０の簡略化した概略図である図１を参照する。収納装置１０は、顧客から紙幣及び／又は小切手の束を受け取るように動作可能である。
【００４４】
収納装置１０は、さまざまな部品が取り付けられたシャーシ１２を含む。収納装置１０は、内部にシート束１６を預け入れられるシート束預け入れスロット１４と、シート束（又はスタック）１６から個別のシートを取り除くシート束積載装置２２に整列したピッカー２４と、シート検証装置２６と、顧客が取引を完了したいことを確認するまで法的有効性を確認したシートを一時的に保持するエスクロー２８と、保管コンパートメント３０と、収納装置１０を内部に設置可能なセルフサービス端末（図示せず）と通信する通信回路基板３２と、収納装置１０の動作を制御する基板搭載コントローラ３４とをさらに備える。
【００４５】
収納装置１０は、その一部のみを本明細書で説明する複数のシート搬送部を含む。上部シート搬送部４０は、シート束積載装置２２の上方、ピッカー２４に隣接して位置する。下部シート搬送部４２は、シート束積載装置２２の下方、シート束預け入れスロット１４付近に位置する。
【００４６】
シート束積載装置２２は、預け入れられた紙幣をシート束預け入れスロット１４からピッカー１４へ搬送するために使用される。
【００４７】
収納装置１０に挿入されているシートがたどる２つの異なったルートがある。第１のルートは矢印４６で示され、シート束１６から取得され、ピッカー２４へ搬送され、検証装置２６を通過して識別されて法的有効性が確認され、エスクロー２８内に配置され、エスクロー２８から保管コンパートメント３０へ搬送されるシートを含む。
【００４８】
第２のルートは矢印４８で示され、シート束１６から取得され、ピッカー２４へ搬送され、検証装置２６を通過して識別されて法的有効性が確認され、エスクロー２８内に配置され、エスクロー２８から下部シートトランスポート４２により顧客に返却されるシートを含む。
【００４９】
当技術分野で周知のように、シートが保管されるか（すなわち、この実施形態では第１のルート４６をたどる）又は顧客に返却される（すなわち、この実施形態では第２のルート４８をたどる）かは、いくつかの要因、例えば、シートが認識されたか、シートが法的有効性を確認されたか、顧客が取引を取り消したか又は確認したかなどによって異なる。
【００５０】
シート束積載装置２２の詳細図である図２〜図４を参照する。
【００５１】
シート束積載装置２２は、１対のリンクアーム５０と、押圧板５２と、アクチュエータ５４とを備える。図を見やすくするために、いくつかの図面では参照番号を一部省略している。
【００５２】
各々のリンクアーム５０は、リンクアーム枢軸６２に取り付けられたハブの形態のピボット６０を画定する。リンクアーム枢軸６２は、以下に説明するように駆動軸として動作する。
【００５３】
各々のリンクアームは、また、その間にギャップを介して互いに向き合って取り付けられた上部弾性部材６６と、下部弾性部材６８とを含む。弾性部材６６、６８は、コイルばねの形態である。
【００５４】
各々のリンクアーム５０は、アクチュエータ５４がそこから突き出る中央領域７０（上部及び下部コイルばね６６、６８の間のギャップ）を画定する。各々のコイルばね６６、６８は、それぞれリンクアーム５０の固定端７２、７４に取り付けられ、それぞれ中央領域７０の（対向する固定端７２、７４の間の）中心付近のカムフォロワ７６、７８に結合されている。したがって、上部コイルばね６６は上部カムフォロワ７６に結合され、下部コイルばね６８は下部カムフォロワ７８に結合されている。
【００５５】
アクチュエータ５４は、２つのカム８２、８４（各リンクアーム５０に１つのカム８２、８４）が取り付けられた回転軸８０を備える。各カム（例えば、カム８２）は、関連付けられたリンクアーム５０のそれぞれのカムフォロワ７６、７８に整列する。
【００５６】
カム８２、８４は、一般に涙滴形状をしており、軸８０に位置合わせされているため、軸８０が回転すると、カム８２、８４の両方が上部カムフォロワ７６に係合して上部コイルばね６６を圧縮し、次に、上部カムフォロワ７６から離脱して上部コイルばね６６は静止状態に弛む。軸８０のさらなる回転によって、カム８２、８４の両方が下部カムフォロワ７８に係合して下部コイルばね６８を圧縮し、次に、下部カムフォロワ７８から離脱して下部コイルばね６８は静止状態に弛む。
【００５７】
シート束積載装置２２は、また、駆動軸６２によって動力を供給される搬送装置９０を含む。搬送装置９０は、上部シート搬送部４０と下部シート搬送部４２の両方と協働する。
【００５８】
搬送装置９０は、軸及びホイール（図では個別に標記されていない）を含むシャーシ９１と、シャーシ９１に取り付けられた１対のベルト９２と、同様にシャーシ９１に取り付けられた単一の肉薄のベルト９４と、リンクアーム５０及びシャーシ９１がその周りを回動する枢軸９５とを備える。
【００５９】
３つのベルト９２、９４は、すべて押圧板５２を通して突き出し（図２に最もよく示されている）、シート束１６をピッカー２４へ搬送する。１対のベルト９２は、また、押圧板５２の下にも延在し（図３に最もよく示されている）、下部シート搬送部４２と協働する搬送部を提供する。
【００６０】
各リンクアーム５０は、さらに付勢部９６によって押圧板５２に回動可能に結合されている。付勢部９６は、搬送装置９０の枢軸９５に取り付けられたハブ９７を画定する。押圧板５２も枢軸９５に取り付けられている。付勢部９６が上方に移動すると、搬送装置９０及び押圧板５２は上方に移動する。付勢部９６が下方に移動すると、搬送装置９０及び押圧板５２は下方に移動する。
【００６１】
以下に詳述するように、アクチュエータ軸８０の回転を用いて付勢部９６を上方に回動させて押圧板５２及び搬送装置９０を上昇させることができる。アクチュエータ軸８０のさらなる回転を用いて押圧板５２及び搬送装置９０を下降させることができる。
【００６２】
フラップ９８がシート束預け入れスロット１４近くの押圧板５２の一端に結合される。フラップ９８によってシート束１６が挿入されるとシート返却経路（ルート４８）の上方を搬送されるが、１つ又は複数のシートを顧客に返却しなければならない場合には、フラップ９８は、また、シート束預け入れスロット１４へ搬送されるシート束によって偏向できる。
【００６３】
シート束積載装置２２、上部シート搬送部４０、及び下部シート搬送部４２の詳細図である図５〜図１２を参照する。ここでも、図面では参照番号を一部省略している。
【００６４】
図５〜図７は、シート束１６が収納装置１０に挿入される時に使用される上側位置に駆動されるシート束積載装置２２を示す。図８〜図１０は、シート束が顧客に返却される時に使用される下側位置に駆動されるシート束積載装置２２を示す。
【００６５】
図５〜図７を参照すると、上部シート搬送部４０は、挿入されたシート束１６をピッカー２４の方へ移動させる１対の搬送ベルト１００を備える。ピッカー２４は、シート束１６から一番上のシートを取得する高摩擦面を有する取得ベルト１０２を含む。
【００６６】
図５〜図７には示していないが、ピッカー２４は、また、複数のシートを取得する可能性を低減するために取得ベルト１０２とは反対方向に動く遅れベルト１０４（図１１及び図１２）も含む。ピッカー２４は、また、シート束１６が取得動作前に（またオプションとして取得動作中に）シート束１６が押し付けられる位置合わせ縁部１０６（図１１及び図１２）も含む。そのような遅れベルト１０４は当業者には周知である。
【００６７】
下部シート搬送部４２は、搬送装置９０内で１対のベルト９２と協働する１対のベルト１１０を備える。
【００６８】
コントローラ３４は、収納装置１０内の搬送部をすべて作動させ、アクチュエータ軸８０を回転させ、ピッカー２４と収納装置１０のその他すべての電気及び電気機械動作を作動させる働きをする。
【００６９】
シート束の挿入
図５〜図７及び図１１に示すように、シート束１６（紙幣など）がシート束預け入れスロット１４に挿入されると、コントローラ３４がこれを検出し、搬送装置９０及び上部シート搬送部４０を作動させてシート束１６を収納装置１０内に引き込む。コントローラ３４は、またアクチュエータ５４を作動させ、カム８２、８４が最大変位を上部カムフォロワ７６に付与するまでアクチュエータ軸８０を回転させる。この位置で、下部カムフォロワ７８は変位しない。
【００７０】
上部カムフォロワ７６の変位によって、両方の上部コイルばね６６が圧縮される。次に、これによって、両方のリンクアーム５０がピボット６０周りに回動し、各々の付勢部９６が上昇する。付勢部９６が上昇すると、押圧板５２も上昇する。これは、シート束１６を圧縮する効果があり、これによって、搬送中にシート束１６内の紙幣が広がらない。押圧板５２は付勢部９６に回動可能に結合されているため、押圧板５２が上昇する際に押圧板５２はシート束１６に平行な状態を保つ。
【００７１】
シート束１６がピッカー２４に到達すると、ピッカー２４は紙幣を一度に１枚ずつ取り出す。紙幣が取り出されるたびに押圧板５２の圧力はわずかに上昇する。これによって、上部コイルばね６６は伸張し（すなわち、弛み）、これによって、上部コイルばね６６がシート束１６内の残りの紙幣に印加する圧力が低減する。図１１は、ピッカー２４にあるシート束１６を示す。図７は、上側搬送部４０に付勢された押圧板５２を示す。
【００７２】
シート束１６内のすべての紙幣が取得されると、コントローラ３４はカム８２、８４が上部カムフォロワ７６を変位させるのを停止するまでアクチュエータ軸８０を回転させることでアクチュエータ５４を停止させる。これによって、リンクアーム５０が上部及び下部コイルばね６６、６８によって等しく付勢されるため、押圧板５２は通常位置に戻る。
【００７３】
なお、図を見やすくするために、図１１及び図１２でリンクアーム５０の一方は描かれていない。
【００７４】
顧客へのシート束の返却
収納装置１０が１つ又は複数のシートを顧客に返却する場合、図８〜図１０及び図１２に示すように、コントローラ３４はシート束積載装置２２を作動させる。コントローラ３４は、収納装置１０内の搬送部（詳細に図示せず）を作動させ、シート束１６を下部搬送部４２の方へ搬送する。
【００７５】
コントローラ３４は、またアクチュエータ５４を作動させ、カム８２、８４が最大変位を下部カムフォロワ７８に付与するまでアクチュエータ軸８０を回転させる。この位置で、上部カムフォロワ７６は変位しない。
【００７６】
下部カムフォロワ７８の変位によって、両方の下部コイルばね６８が圧縮される。次に、これによって、両方のリンクアーム５０がピボット６０周りに回動し、各々の付勢部９６が下降する。付勢部９６が下降すると、押圧板５２も下降する（図１０に最もよく示されている）。これは、（ｉ）搬送装置９０上の１対のベルト９２と、（ｉｉ）下部搬送部４２上の１対のベルト１１０との間のシート束１６を圧縮する効果がある。これによって、シート束預け入れスロット１４への搬送中にシート束１６内の紙幣が広がらない。シート束１６は、シート束預け入れスロット１４に接近するため、シート束はフラップ９８を上方へ偏向させ、シート束預け入れスロット１４から部分的に露出して顧客が取り出せるようにする。
【００７７】
シート束１６が顧客によって取り出されると、コントローラ３４はカム８２、８４が下部カムフォロワ７８を変位させるのを停止するまでアクチュエータ軸８０を回転させることでアクチュエータ５４を停止させる。これによって、リンクアーム５０が上部及び下部コイルばね６６、６８によって等しく付勢されるため、押圧板５２は通常位置に戻る。
【００７８】
なお、この実施形態は、シート束を搬送し、シートを個別に取り出す間に押圧板がシート束のサイズに応じて自動的にシート束に適当な圧力を印加するという利点を有する。上記実施形態では、ヨークリンクアーム（すなわち、１対のばねを取り付けたリンクアーム）が使用されるため、同一の機構を用いてシートを収納装置内に引き込みシートを収納装置から搬出することができる。
【００７９】
本発明の範囲内で上記実施形態にさまざまな変更を加えることができる。例えば、別の実施形態では、板ばねなどの異なる弾性部材を使用できる。
【００８０】
別の実施形態では、単一のリンクアーム、又は３つ以上のリンクアームを使用できる。別の実施形態では、各々のリンクアームは１対の対向する弾性部材ではなく単一の弾性部材を含んでもよい。
【００８１】
別の実施形態では、弾性部材を圧縮させる代わりに伸張させてリンクアームを回動させてもよい。
【００８２】
別の実施形態では、アクチュエータは、軸とカムの代わりにリンク機構を備えてもよい。
【００８３】
別の実施形態では、上記と異なる搬送部分を使用してもよい。搬送部は上記と異なるシート駆動機構を使用してもよい。
【００８４】
本明細書に記載した方法ステップは、適宜、任意の好適な順序で、又は同時に実行してもよい。
【００８５】
本明細書では、「備える」、「含む」、「組み込む」及び「有する」という用語は、限定されたリストではなく、１つ又は複数の要素又はステップの拡張可能なリストを記載するために使用される。そのような用語が使用される時には、リスト内に記載した要素又はステップはリストに追加できる他の要素又はステップを除外するものではない。
【００８６】
文脈によって別の意味になる場合を除き、「ある」という用語はそれに続く少なくとも１つの要素、整数、ステップ、特徴、動作、又は構成要素を示すために使用されるが、追加の要素、整数、ステップ、特徴、動作、又は構成要素を除外するものではない。
【図１】
0005774393.tif 000002
【図２】
0005774393.tif 000003
【図３】
0005774393.tif 000004
【図４】
0005774393.tif 000005
【図５】
0005774393.tif 000006
【図６】
0005774393.tif 000007
【図７】
0005774393.tif 000008
【図８】
0005774393.tif 000009
【図９】
0005774393.tif 000010
【図１０】
0005774393.tif 000011
【図１１】
0005774393.tif 000012
【図１２】
0005774393.tif 000013